(57)【要約】【課題】  高速移動時にも安定してハンドオーバを実行する。【解決手段】  移動体は、高速移動を開始する前に基地局に、ハンドオーバが予定される基地局の無線リンク情報を取得するための要求信号を送信し、基地局は、その要求信号と送信した移動体の特定情報を管理局に転送し、管理局は、複数の基地局の無線リンク情報を管理し、移動体の特定情報を含む要求信号を受信したときに、移動体のルートに沿ったハンドオーバ予定の各基地局の無線リンク情報を移動体が通信している基地局を介して移動体宛てに一括して送信し、基地局は、ハンドオーバ予定の各基地局の無線リンク情報を移動体に転送し、移動体は、ハンドオーバ予定の各基地局の無線リンク情報を蓄積し、ハンドオーバの契機を確認したときに、蓄積情報の中からハンドオーバすべき基地局の無線リンク情報を取得してハンドオーバ処理を行う。【選択図】        図１
2005311646.tif 000002
【特許請求の範囲】
【請求項１】
所定のルートで高速に移動する移動体を含む無線ＬＡＮシステムであって、複数の基地局がそれぞれ通信可能な無線ゾーンを形成し、移動体が無線ゾーンの移動に伴って通信する基地局を切り替える無線ＬＡＮにおける高速ハンドオーバ方法において、
前記移動体は、高速移動を開始する前に、現在無線リンクを介して接続されている基地局に、前記ルートに沿ってハンドオーバが予定される基地局の無線リンク情報を取得するための要求信号を送信し、
前記基地局は、前記要求信号を受信したときに、その要求信号と送信した移動体の特定情報を管理局に転送し、
前記管理局は、前記複数の基地局に有線または無線で接続され、前記複数の基地局の無線リンク情報を管理し、前記移動体の特定情報を含む要求信号を受信したときに、前記移動体のルートに沿ったハンドオーバ予定の各基地局の無線リンク情報を前記移動体が通信している基地局を介して前記移動体宛てに一括して送信し、
前記基地局は、前記ハンドオーバ予定の各基地局の無線リンク情報を前記移動体に転送し、  前記移動体は、前記ハンドオーバ予定の各基地局の無線リンク情報を蓄積し、ハンドオーバの契機を確認したときに、蓄積情報の中からハンドオーバすべき基地局の無線リンク情報を取得してハンドオーバ処理を行う
ことを特徴とする無線ＬＡＮにおける高速ハンドオーバ方法。
【請求項２】
所定のルートで高速に移動する移動体を含み、複数の基地局がそれぞれ通信可能な無線ゾーンを形成し、移動体が無線ゾーンの移動に伴って通信する基地局を切り替えるハンドオーバを行う無線ＬＡＮシステムにおいて、
前記複数の基地局に有線または無線で接続され、前記複数の基地局の無線リンク情報を管理する管理局を備え、
前記移動体は、高速移動を開始する前に、現在無線リンクを介して接続されている基地局に、前記ルートに沿ってハンドオーバが予定される基地局の無線リンク情報を取得するための要求信号を送信するとともに、前記管理局から送信されたハンドオーバ予定の各基地局の無線リンク情報を蓄積する手段を含み、ハンドオーバの契機を確認したときに、蓄積情報の中からハンドオーバすべき基地局の無線リンク情報を取得してハンドオーバ処理を行う構成であり、
前記基地局は、前記要求信号を受信したときに、その要求信号と送信した移動体の特定情報を管理局に転送し、前記管理局から送信されたハンドオーバ予定の各基地局の無線リンク情報を前記移動体に転送する構成であり、
前記管理局は、前記基地局を介して受信する前記移動体からの要求信号により、前記移動体のルートに沿ったハンドオーバ予定の各基地局の無線リンク情報を一括して前記移動体宛てに送信する構成である
ことを特徴とする無線ＬＡＮシステム。
【発明の詳細な説明】
【技術分野】
【０００１】
本発明は、所定のルートで高速に移動する移動体（例えば電車）でIEEE802.11方式等の無線ＬＡＮを実現するシステムにおいて、移動体と基地局との間のハンドオーバを高速に処理する無線ＬＡＮにおける高速ハンドオーバ方法および無線ＬＡＮシステムに関する。
【背景技術】
【０００２】
無線ＬＡＮシステムでは、高速で移動する移動体と基地局との間でハンドオーバを要する場合に、移動体が基地局の無線ゾーンを通過する時間に対してハンドオーバに要する時間の割合が増大し、移動体通信速度（通信帯域）が低下することが問題になる。
【０００３】
この無線ＬＡＮシステムにおけるハンドオーバの時間割合について、図３を参照して説明する。図３(1) において、基地局３１，３２がそれぞれ無線ゾーン３３，３４を形成し、移動体３５が無線ゾーン３３から無線ゾーン３４の方向に移動しているものとする。移動体３５の速度をｖ、無線ゾーン３３，３４の範囲（移動方向の直線距離）をＬとし、移動体３５が無線ゾーン３３，３４を通過する時間Ｔ（＝Ｌ／ｖ）に対して、移動体３５の無線リンクを基地局３１から基地局３２に変更するハンドオーバの時間ｔの割合をＹ（＝ｔ／Ｔ）とする。ハンドオーバの時間ｔは無線リンクが断絶するとすれば、Ｙは平均通信帯域を決めるパラメータとなる。
【０００４】
ここで、Ｌ＝50ｍとしたときのＹとｖとｔの関係（Ｙ＝（ｖ／Ｌ）ｔ）について、ｖ＝300 km／ｈ（電車走行時）およびｖ＝３km／ｈ（歩行時）の場合を図３(2) に示す。通信帯域を固定した場合を考え、Ｙを10％とすれば、歩行時にはハンドオーバ時間に６ｓを確保できるが、電車走行時にはその１／100 の60ｍｓしか確保することができない。これは、移動体が高速で移動する場合に一定の通信帯域を確保するには、ハンドオーバ時間を短縮させることが重要であることを示している。
【０００５】
無線ＬＡＮのハンドオーバ時間に関連する研究として"Techniques to reduce IEEE802.11b MAC Layer handover time"がある（非特許文献１）。本文献では、無線ＬＡＮシステムのハンドオーバ時間として「検出（Detection)」、「検索（Search）」、「実行（Execution)」の３段階に分けて、市販の機器を用いて各段階に要する時間を測定し、かつ時間短縮方法を提案している。ここでは、３段階を概説し、ハンドオーバ時間の長さを決める主要段階について説明する。
【０００６】
まず、最初の「検出（Detection)」は、移動体が無線リンクにおいてハンドオーバの契機を認識する段階である。移動体は、基地局からのパケットを数回にわたり受け取ることができない場合、別の基地局に切り替えるべきと判断する。このように移動体が基地局からのパケット到着の有無をハンドオーバの契機とした場合には、その検出時間として1000ｍｓもの時間を要する。ただし、非特許文献１によれば、例えば受信レベル等の物理レイヤパラメータをハンドオーバの契機とすることにより、本段階に要する時間の短縮は可能になっている。
【０００７】
「実行（Execution)」は、移動局が新しい基地局の無線ゾーンに移動した後に帰属関係を結ぶための段階であり、無線リンクでパケットを交換する。非特許文献１によれば、本段階に要する時間は２〜３ｍｓ程度であり、ハンドオーバの全体に占める時間はわずかである。したがって、本段階はハンドオーバ時間を決める主要要因ではない。
【０００８】
「検索（Search）」は、移動体が「検出（Detection)」の段階を経てハンドオーバの契機を認識した後に、新しく帰属可能な基地局を検索する段階である。IEEE802.11で規定される無線ＬＡＮは、能動的な基地局検索方法として、任意の周波数で要求パケットをブロードキャストし、該当する基地局より応答パケットを受け取ることにより、帰属すべき基地局の周波数と無線リンク情報を得る方法を規定している。本方法では、移動体は帰属すべき基地局の無線リンク情報を事前に知らないため、該当する基地局が発見されるまで周波数を変更して検索を繰り返し、最悪の場合には周波数の全域を検索することとなる。非特許文献１によれば、「検索（Search）」の時間は検索するチャネルの数に比例して、数十〜数百ｍｓ程度に及ぶことが報告されており、「実行（Execution)」に要する時間（２〜３ｍｓ）と比較して長くなっている。以上により、「検索（Search）」がハンドオーバ時間を決める主要段階であり、ハンドオーバ時間の短縮のためには「検索（Search）」の時間をいかに短縮するかが重要になることがわかる。
【０００９】
ところで、「検索（Search）」の段階を省略できるハンドオーバ手順が提案されている（特許文献１）。このハンドオーバ手順では、移動体（特許文献１では端末）が現基地局の無線ゾーンにいる間に、ハンドオーバすべき隣接基地局との間の無線リンク確立に必要な情報を交換する。これにより、移動体がハンドオーバの契機を認識してから、ハンドオーバ先の基地局を検索する手順を踏む必要がないので、移動体は「検索（Search）」の段階を省略でき、スムーズにハンドオーバを行うことができるというものである。
【００１０】
特許文献１に記載のハンドオーバ手順について、図４および図５を参照して説明する。図４において、基地局４１，４２，４３はそれぞれ無線ゾーン４４，４５，４６を形成し、基地局４１に帰属している移動体４７が無線ゾーン４４から無線ゾーン４５の方向に移動するものとする。基地局４１，４２，４３は、有線または無線によりルータ装置４８と接続され、さらにルータ装置４８にはインターネット４９を介してサーバ５０が接続される。以下、移動体４７が無線ゾーン４４から無線ゾーン４５に移動する場合を例に説明する。
【００１１】
基地局４１，４２，４３は、それぞれの無線リンク情報をルータ装置４８を介して隣接無線局に対して送信しており、図５では基地局４１が隣接する基地局４２の無線リンク情報をルータ装置４８を介して受信する（Ｓ51）。なお、ここでいう無線リンク情報とは、特許文献１においてビーコン情報と呼んでいる信号を指す。基地局４１は、移動体４７に対して自局の無線リンク情報とともに隣接する基地局４２の無線リンク情報を送信する（Ｓ52）。移動体４７は、ハンドオーバ先の基地局４２の無線リンク情報を基地局４１から取得すると、基地局４１に対して基地局４２との無線リンク接続を要求する無線リンク確立要求を送信する（Ｓ53）。基地局４１は、自局宛てでない無線リンク確立要求をルータ装置４８を介して基地局４２に転送する（Ｓ54）。基地局４２は、この無線リンク確立要求に対する無線リンク確立応答をルータ装置４８、基地局４１を介して移動体４７に送信する（Ｓ55，Ｓ56）。移動体４７は、この無線リンク確立応答を受信して基地局４２との間の無線リンクの確立準備ができたことを確認し、基地局４１を介してルータ装置４８に対してその旨を通知する登録信号を送信する（Ｓ57，Ｓ58）。以上により、隣接する基地局４２に対するハンドオーバのための準備が完了する。
【００１２】
次に、移動体４７が基地局４１、ルータ装置４８を介してサーバ５０とユーザデータをやりとりしているときに、移動体４７が無線ゾーン４４と無線ゾーン４５の境に移動し、基地局４２からの受信レベルがある値以上になってハンドオーバの契機を認識すると、移動体４７は基地局４１を介してルータ装置４８にデータ送信信号を送信する（Ｓ59，Ｓ60）。ルータ装置４８は、このデータ送信信号を受信すると、サーバ５０からのユーザデータを基地局４１，４２に対してマルチキャストする（Ｓ61，Ｓ62，Ｓ63，Ｓ64）。この時点では、移動体４７とサーバ５０との間のユーザデータは基地局４１を介して送受信される（Ｓ61，Ｓ62，Ｓ63）。
【００１３】
さらに、ルータ装置４８は、基地局４１，４２にマルチキャストしていることを移動体４７に知らせるための同時送信信号を送信する（Ｓ65，Ｓ66）。移動体４７は、この同時送信信号を受信することにより、無線ゾーン５４，５５の双方でサービスが受けられると判断して基地局４１から基地局４２への切り替えを行い、基地局４２を介してルータ装置４８に送信中止信号を送信する（Ｓ67，Ｓ68）。ルータ装置４８は、移動体４７からの送信中止信号を受信すると、移動体４７が基地局４２への切り替えを完了したことを確認し、基地局４１に対するユーザデータの送信を中止する。これにより、移動体４７とサーバ５０との間のユーザデータの送受信は、ルータ装置４８および基地局４２を介して行われる（Ｓ69，Ｓ70，Ｓ71）。
【００１４】
以下、基地局４２から基地局４３へのハンドオーバも同様に行われ、特にＳ51〜Ｓ58のシーケンスはハンドオーバするごとに繰り返し行われる。これにより、移動体４７はハンドオーバすべき隣接基地局との無線リンク情報を現基地局を介して取得するので、隣接基地局の無線ゾーンに移動してハンドオーバの契機を確認した場合には、「検索（Search）」の段階を省略して直ちにハンドオーバを実行することができる。
【特許文献１】特開２００２−１７１５５８号公報
【非特許文献１】H.Velayos et al.,TRITA-IMIT-LCN R 03:02 ISSN 1651-7717 ISRN KTH/IMIT/LCN/R-03/02 SE,Laboratory for Communication networks, Department Microelectronics Information Technology(IMIT) KTH, royal Institute of Technology Stockholm, Sweden
【発明の開示】
【発明が解決しようとする課題】
【００１５】
従来のハンドオーバ手順は、非特許文献１に記載のように、移動体がハンドオーバ先の基地局の無線ゾーンに入った後に新しい基地局を検索することになるので、その検索時間が不可欠になっていた。
【００１６】
一方、特許文献１に記載のハンドオーバ手順は、従来のハンドオーバ手順で不可欠であったハンドオーバ先の基地局を検索する必要がない利点があるものの、次のような問題点があった。それは、図５のＳ51〜Ｓ58のシーケンスで示すように、ハンドオーバするごとにルータ装置を介して隣接基地局の無線リンク情報を取得しなければならないことである。一方、移動体の移動速度が高速になると、移動体が単位時間あたりに通過する基地局が増加するので、隣接基地局の無線リンク情報を取得する頻度も増加することになる。したがって、移動体が高速で移動した場合には、隣接基地局の無線リンク情報の取得のために無線および有線網のリソースが大きく消費されることになる。
【００１７】
また、隣接基地局の無線リンク情報の取得のためのシーケンス（Ｓ51〜Ｓ58）に要する時間が、移動体の無線ゾーン通過時間に比べて長くなると、移動体が隣接基地局の無線リンクを確立することができなくなる。一般に、移動体の移動速度に比例して各基地局の無線ゾーンを通過する時間が短くなるため、特許文献１のハンドオーバ手順を有効にするには移動体の移動速度に限界があった。
【００１８】
本発明は、ハンドオーバ手順における基地局の検索（Search）を不要とし、かつ隣接基地局の無線リンク情報の取得のために無線および有線網のリソースを消費することがなく、高速移動時にも安定してハンドオーバを実行することができる無線ＬＡＮにおける高速ハンドオーバ方法および無線ＬＡＮシステムを提供することを目的とする。
【課題を解決するための手段】
【００１９】
請求項１に記載の発明は、所定のルートで高速に移動する移動体を含む無線ＬＡＮシステムであって、複数の基地局がそれぞれ通信可能な無線ゾーンを形成し、移動体が無線ゾーンの移動に伴って通信する基地局を切り替える無線ＬＡＮにおける高速ハンドオーバ方法において、移動体は、高速移動を開始する前に、現在無線リンクを介して接続されている基地局に、ルートに沿ってハンドオーバが予定される基地局の無線リンク情報を取得するための要求信号を送信し、基地局は、要求信号を受信したときに、その要求信号と送信した移動体の特定情報を管理局に転送し、管理局は、複数の基地局に有線または無線で接続され、複数の基地局の無線リンク情報を管理し、移動体の特定情報を含む要求信号を受信したときに、移動体のルートに沿ったハンドオーバ予定の各基地局の無線リンク情報を移動体が通信している基地局を介して移動体宛てに一括して送信し、基地局は、ハンドオーバ予定の各基地局の無線リンク情報を移動体に転送し、移動体は、ハンドオーバ予定の各基地局の無線リンク情報を蓄積し、ハンドオーバの契機を確認したときに、蓄積情報の中からハンドオーバすべき基地局の無線リンク情報を取得してハンドオーバ処理を行う。
【００２０】
請求項２に記載の発明は、所定のルートで高速に移動する移動体を含み、複数の基地局がそれぞれ通信可能な無線ゾーンを形成し、移動体が無線ゾーンの移動に伴って通信する基地局を切り替えるハンドオーバを行う無線ＬＡＮシステムにおいて、複数の基地局に有線または無線で接続され、複数の基地局の無線リンク情報を管理する管理局を備え、移動体は、高速移動を開始する前に、現在無線リンクを介して接続されている基地局に、ルートに沿ってハンドオーバが予定される基地局の無線リンク情報を取得するための要求信号を送信するとともに、管理局から送信されたハンドオーバ予定の各基地局の無線リンク情報を蓄積する手段を含み、ハンドオーバの契機を確認したときに、蓄積情報の中からハンドオーバすべき基地局の無線リンク情報を取得してハンドオーバ処理を行う構成であり、基地局は、要求信号を受信したときに、その要求信号と送信した移動体の特定情報を管理局に転送し、管理局から送信されたハンドオーバ予定の各基地局の無線リンク情報を移動体に転送する構成であり、管理局は、基地局を介して受信する移動体からの要求信号により、移動体のルートに沿ったハンドオーバ予定の各基地局の無線リンク情報を一括して移動体宛てに送信する構成である。
【発明の効果】
【００２１】
本発明は、移動体がハンドオーバする各基地局の無線リンク情報を高速移動前に蓄積しておき、ハンドオーバの契機を確認したときに、蓄積情報の中から次にハンドオーバする基地局の無線リンク情報を読み出し、その基地局へのハンドオーバを実行する。これにより、ハンドオーバ手順の「検索（Search）」の処理が不要となり、ハンドオーバに要する時間を短縮することができる。また、蓄積情報の読み出しに要する時間も極めて短いので、移動体が高速移動中であっても確実にハンドオーバする基地局の無線リンク情報を取得し、ハンドオーバを実行することができる。
【００２２】
また、移動体がハンドオーバする各基地局の無線リンク情報は、移動体が高速移動していない期間に管理局から一括して転送して蓄積しておき、ハンドオーバの際に読み出す構成であるので、特許文献１に記載の方法のようにハンドオーバの度に管理局と通信して網リソースが消費されることがない。
【発明を実施するための最良の形態】
【００２３】
図１は、本発明の無線ＬＡＮシステムの実施形態を示す。図において、基地局１１，１２，１３はそれぞれ無線ゾーン１４，１５，１６を形成し、基地局１１に帰属している移動体１７が無線ゾーン１４から無線ゾーン１５の方向に移動するものとする。基地局１１，１２，１３は、有線または無線により管理局１８と接続され、さらに管理局１８にはインターネット１９を介してサーバ２０が接続される。
【００２４】
なお、移動体１７は例えば電車などを想定しており、あらかじめ移動に伴ってハンドオーバする予定の基地局（ここでは１２，１３とする）を管理局１８が把握しているものとする。また、移動体１７では、例えば車内に設置したアクセスポイントを介して車内の無線端末と車外の基地局、さらにインターネット１９とを接続し、広帯域無線ＬＡＮ通信サービスの提供が可能になっているものとする。
【００２５】
管理局１８は、基地局１１，１２，１３を含む複数の基地局の無線リンク情報を管理し、移動体１７からの要求信号により、移動体１７がこれからハンドオーバする予定の基地局１２，１３の無線リンク情報を一括して移動体１７宛てに送信する。
【００２６】
移動体１７は、高速移動を開始する前に、現在無線リンクを介して接続されている基地局１１に、ハンドオーバ予定の各基地局の無線リンク情報を取得するための要求信号を送信するとともに、管理局１８から送信されたハンドオーバ予定の各基地局の無線リンク情報を蓄積する蓄積手段２１を含み、ハンドオーバの契機を確認したときに、蓄積手段２１からハンドオーバ予定の基地局の無線リンク情報を取得してハンドオーバ処理を行う。
【００２７】
基地局１１は、移動体１７から送信された要求信号を受信したときに、その要求信号と送信した移動体１７の特定情報を管理局１８に転送し、管理局１８から送信されたハンドオーバ予定の各基地局１２，１３の無線リンク情報を移動体１７に転送する。
【００２８】
図２は、本発明の無線ＬＡＮにおける高速ハンドオーバ方法の処理手順例を示す。ここでは、移動体１７は無線ゾーン１４にあって基地局１１と通信状態にあり、無線ゾーン１４から無線ゾーン１５，１６に順次移動する場合を想定する。
【００２９】
移動体１７は、サーバ２０と通信を開始する前に、現在無線リンクを介して接続されている基地局１１に対して、ハンドオーバが予定される基地局の無線リンク情報を取得するための無線リンク情報要求信号を送信する（Ｓ11）。基地局１１は、無線リンク情報要求信号を受信したときに、その無線リンク情報要求信号に移動体１７の特定情報を含めて管理局１８に転送する（Ｓ12）。管理局１８は、移動体１７の特定情報を含む無線リンク情報要求信号を受信したときに、その特定情報から移動体１７のルートを確認し、移動体１７の移動に伴ってハンドオーバする予定の基地局１２，１３を把握し、その各基地局１２，１３の無線リンク情報を基地局１１を介して移動体１７宛てに一括して送信する（Ｓ13）。基地局１１は、管理局１８から送信されたハンドオーバ予定の各基地局１２，１３の無線リンク情報を移動体１７に転送する（Ｓ14）。移動体１７は、管理局１８から送信されたハンドオーバ予定の各基地局１２，１３の無線リンク情報を蓄積装置２１に蓄積し、蓄積装置２１から蓄積完了の通知を受ける（Ｓ15，Ｓ16）。
【００３０】
以上のシーケンスは、移動体１７が移動を開始する前、あるいは低速で移動している期間、すなわち基地局１１の無線ゾーン１４に十分に長い時間滞在している期間に実行される。このＳ11〜Ｓ16のシーケンスが終了すると、移動体１７とサーバ２０との間で、基地局１１、管理局１８を介してユーザデータを送受信することができる（Ｓ17、Ｓ18，Ｓ19）。
【００３１】
移動体１７は、無線ゾーン１４において基地局１１からの受信レベルの減少を検出するか、あるいは基地局１２からの受信レベルの増加を検出するか、あるいは基地局１１が中継する管理局１８からのハンドオーバ命令（Ｓ20，Ｓ21）などを受信すると、ハンドオーバの契機として認識する。移動体１７は、蓄積装置２１に対して次にハンドオーバすべき基地局１２の無線リンク情報を入手するための信号を送信する（Ｓ22）。蓄積装置２１は、蓄積しているハンドオーバ予定の基地局の無線リンク情報の中から、次にハンドオーバすべき基地局１２の無線リンク情報を検索し、移動体１７に通知する（Ｓ23）。なお、ここでいう無線リンク情報とは、基地局が利用する周波数、ＭＡＣアドレス、変調方式、サポートする無線変調速度等をさす。
【００３２】
移動体１７は、従来の「実行（Execution)」の手順と同様に、基地局１２の周波数に合わせて自身の無線送受信機を設定し、基地局１２と帰属関係を結ぶための接続要求信号を基地局１２に対して送信する（Ｓ24）。基地局１２は、この接続要求信号を受信すると、接続応答信号を移動体１７に返信するとともに、管理局１８に対して登録信号を送信して移動体１７の登録を行う（Ｓ25，Ｓ26）。この登録が終了すると、移動体１７とサーバ２０との間で、基地局１２、管理局１８を介してユーザデータを送受信することができる（Ｓ27、Ｓ28，Ｓ29）。
【００３３】
次に、移動体１７が無線ゾーン１５において同様にハンドオーバの契機を認識すると、Ｓ20〜Ｓ26と同様の処理手順Ｓ30〜Ｓ36により、蓄積装置２１から次にハンドオーバすべき基地局１３の無線リンク情報を取得し、基地局１３へのハンドオーバを実行する。
【図面の簡単な説明】
【００３４】
【図１】本発明の無線ＬＡＮの実施形態を示す図。
【図２】本発明の無線ＬＡＮにおける高速ハンドオーバ方法の処理手順例を示す図。
【図３】無線ＬＡＮシステムにおけるハンドオーバの時間割合を説明する図。
【図４】従来の移動通信システムの構成を示す図。
【図５】従来の移動通信システムにおけるハンドオーバの処理手順を示す図。
【符号の説明】
【００３５】
１１，１２，１３  基地局
１４，１５，１６  無線ゾーン
１７  移動体
１８  管理局
１９  インターネット
２０  サーバ
２１  蓄積装置
【図１】
2005311646.tif 000003
【図２】
2005311646.tif 000004
【図３】
2005311646.tif 000005
【図４】
2005311646.tif 000006
【図５】
2005311646.tif 000007